(57)【要約】【課題】コンピュータへの有線イヤホン配置による使用上の不便を解決すること。【解決手段】コンピュータ装置のサウンドインタフェースに無線音声信号発射モジュールが連接され、該サウンドインタフェースの出力する音声周波信号を受け取り、音声信号処理及び変調の後、アンテナ装置でその無線音声信号を発射し、有効受信距離内の少なくとも一つの無線信号受信装置に受信させる。本発明はコンピュータ装置に組み合わせて使用され、コンピュータ装置に無線音声信号の機能を具備させる。【選択図】        図１
2004234603.tif 000002
【特許請求の範囲】
【請求項１】
コンピュータ装置に音声信号を発生するためのサウンドインタフェースが設けられ、該サウンドインタフェースの音声周波信号出力端より該音声信号が送出される、無線音声信号発射モジュールを配置したコンピュータ装置において、該サウンドインタフェースの音声周波信号出力端に無線音声信号発射モジュールが連接されてサウンドインタフェースの出力する音声周波信号を受け取り、該無線音声信号発射モジュールが音声周波信号を受け取った後、音声信号処理と変調を行った後、アンテナ装置より無線音声信号を発射して、有効信号受信距離内にある少なくとも一つの無線音声信号受信装置に受信させることを特徴とする、無線音声信号発射モジュールを配置したコンピュータ装置。
【請求項２】
請求項１に記載の無線音声信号発射モジュールを配置したコンピュータ装置において、無線音声信号発射モジュールが、
サウンドインタフェースの音声周波信号出力端より送出される音声周波信号を受け取って処理し、音声周波信号を無線電気信号に変換する音声周波信号処理回路と、
該音声周波信号処理回路の発生する無線電気信号を受け取り、該無線電気信号を変調する信号変調回路と、
該信号変調回路により変調された無線電気信号を増幅する増幅回路と、
該増幅回路により増幅された信号を受け取り、並びにアンテナ装置を透過して無線音声信号を発射する信号発射回路と、
を具えたことを特徴とする、無線音声信号発射モジュールを配置したコンピュータ装置。
【請求項３】
請求項２に記載の無線音声信号発射モジュールを配置したコンピュータ装置において、無線音声信号発射モジュールがチューナーを更に具え、該チューナーが信号変調回路に連接されて該信号変調回路の変調した音声信号を固定チャンネル或いは周波数変調式に設定することを特徴とする、無線音声信号発射モジュールを配置したコンピュータ装置。
【請求項４】
請求項２に記載の無線音声信号発射モジュールを配置したコンピュータ装置において、無線音声信号発射モジュールがエンコードユニットを更に具え、該エンコードユニットが信号変調回路に連接されて、該信号変調回路の変調した音声信号をエンコードすることを特徴とする、無線音声信号発射モジュールを配置したコンピュータ装置。
【請求項５】
請求項１に記載の無線音声信号発射モジュールを配置したコンピュータ装置において、無線音声信号受信装置が、
アンテナ装置より無線音声信号発射モジュールの発射した無線音声信号を受信する信号受信回路と、
該信号受信回路の受信した無線音声信号をろ波し及び増幅するろ波及び増幅回路と、
該ろ波及び増幅回路の送出する音声信号を復調する信号復調回路と、
該信号復調回路に連接されて信号復調回路で復調後の音声信号を受信するイヤホンと、
を具えたことを特徴とする、無線音声信号発射モジュールを配置したコンピュータ装置。
【請求項６】
請求項５に記載の無線音声信号発射モジュールを配置したコンピュータ装置において、無線音声信号受信装置がチューナーを更に具え、該チューナーが信号復調回路に連接されて該信号復調回路の復調した音声信号を固定チャンネル或いは周波数変調式に設定することを特徴とする、無線音声信号発射モジュールを配置したコンピュータ装置。
【請求項７】
請求項５に記載の無線音声信号発射モジュールを配置したコンピュータ装置において、無線音声信号受信装置がデコードユニットを更に具え、該デコードユニットが信号復調回路に連接されて、該信号復調回路の復調した音声信号をデコードすることを特徴とする、無線音声信号発射モジュールを配置したコンピュータ装置。
【請求項８】
請求項５に記載の無線音声信号発射モジュールを配置したコンピュータ装置において、無線音声信号受信装置の作業電源が電池により供給されることを特徴とする、無線音声信号発射モジュールを配置したコンピュータ装置。
【請求項９】
無線音声信号発射モジュールを配置したコンピュータ装置において、
音声信号を発生するサウンドインタフェースが配置され、該サウンドインタフェースの音声周波信号出力端より該音声信号が送出される、コンピュータ装置と、
無線音声信号発射モジュールとされ、該コンピュータ装置のサウンドインタフェースに連接され、該サウンドインタフェースの音声周波信号出力端より送出される音声周波信号を受け取り、音声信号処理と変調の後に、アンテナ装置より無線音声信号を発射し、該無線音声信号発射モジュールを固定チャンネル或いは周波数変調式に設定するためのチューナーと、無線音声信号発射モジュールのエンコード機能を設定するためのエンコードユニットを具えた、上記無線音声信号発射モジュールと、
複数の無線音声信号受信装置とされ、各無線音声信号受信装置がそれぞれ無線音声信号発射モジュールのチューナーの固定チャンネルとされるか或いは周波数変調式とされたチューナーと、無線音声信号発射モジュールのエンコードユニットに設定するエンコード機能に対応するデコード機能を具えたデコードユニットを具えた、上記複数の無線音声信号受信装置と、
を具え、各無線音声信号受信装置が無線音声信号発射モジュールの有効音声信号発射距離内にあれば、各無線音声信号受信装置が無線音声信号発射モジュールの発射した無線音声信号を受信できることを特徴とする、無線音声信号発射モジュールを配置したコンピュータ装置。
【請求項１０】
請求項９に記載の無線音声信号発射モジュールを配置したコンピュータ装置において、無線音声信号発射モジュールが、
サウンドインタフェースの音声周波信号出力端より送出される音声周波信号を受け取って処理し、音声周波信号を無線電気信号に変換する音声周波信号処理回路と、
該音声周波信号処理回路の発生する無線電気信号を受け取り、該無線電気信号を変調する信号変調回路と、
該信号変調回路により変調された無線電気信号を増幅する増幅回路と、
該増幅回路により増幅された信号を受け取り、並びにアンテナ装置を透過して無線音声信号を発射する信号発射回路と、
を具えたことを特徴とする、無線音声信号発射モジュールを配置したコンピュータ装置。
【請求項１１】
請求項９に記載の無線音声信号発射モジュールを配置したコンピュータ装置において、無線音声信号受信装置が、
アンテナ装置より無線音声信号発射モジュールの発射した無線音声信号を受信する信号受信回路と、
該信号受信回路の受信した無線音声信号をろ波し及び増幅するろ波及び増幅回路と、
該ろ波及び増幅回路の送出する音声信号を復調する信号復調回路と、
該信号復調回路に連接されて信号復調回路で復調後の音声信号を受信するイヤホンと、
を具えたことを特徴とする、無線音声信号発射モジュールを配置したコンピュータ装置。
【請求項１２】
請求項９に記載の無線音声信号発射モジュールを配置したコンピュータ装置において、各無線音声信号受信装置の作業電源が電池により供給されることを特徴とする、無線音声信号発射モジュールを配置したコンピュータ装置。
【発明の詳細な説明】
【０００１】
【発明の属する技術分野】
本発明は一種のコンピュータ装置の音声信号装置に係り、特に無線音声信号発射モジュールを配置したコンピュータ装置に関する。
【０００２】
【従来の技術】
コンピュータ設備は各種の工業、商業、オフィス、教室、及び家庭に普及している。コンピュータ装置にオーディオビデオ装置が結合されることにより、基本的なマルチメディア装置が形成され、このマルチメディア装置は使用者に音声及び画像信号再生の娯楽性及び実用性を享受させる。該マルチメディア装置にノートブック型パソコンの携帯機能を組み合わせれば、モバイル式マルチメディア再生の機能を発揮できる。
【０００３】
現在使用されているほとんどのデスクトップ型或いはノートブック型コンピュータは、マルチメディアオーディオビデオ信号の再生のために、ディスプレイ及びスピーカにより画像表示とサウンド再生を行っている。そのうちサウンド再生方面では、スピーカが再生装置とされる。現在のコンピュータ装置にはイヤホンジャックが配置され、使用者はイヤホンプラグをイヤホンジャックに挿入することによりイヤホンで音楽を聴くことができ、これによりスピーカより発生する音声が他人に対して干渉するのを防止できる。
【０００４】
【発明が解決しようとする課題】
現在、ほとんどのデスクトップ型コンピュータ或いはノートブック型コンピュータは有線式イヤホンを支援し、ゆえに使用者がイヤホンを使用する時は、その活動範囲が該イヤホンの導線の長さ範囲内に制限され、手を挙げたり足を投げる動作に注意を払わなければならず、また人の傍らにイヤホンコードがあると気が散ったり、不注意から線を切断したり、或いは音楽を聴く楽しみが妨害されることがある。現在市場にはいわゆるＭＴＶフィルムがあるが、有線イヤホンは導線長さの制限を受けるため、使用者はただコンピュータの近傍で音楽を聴くことしかできず、ＭＴＶ楽曲に合わせてダンスすることはできず、そうでなければ他人を干渉しない場所を探してコンピュータに配置されたスピーカで音声を増幅しなければならず、これは騒音を発生し、使用時に極めて不便である。
【０００５】
さらに、一般にコンピュータに配置されているスピーカは、公開放送のサウンド再生装置であり、即ちコンピュータのスピーカより発生する音声は、有効周辺内にいる誰もがその発生する音声を聴くことができる。しかし、皆が聴く必要がある場合もあるが、オフィス環境等では他人を干渉する。
【０００６】
このため本発明の主要な目的は、前述の従来の技術の欠点を解決し、無線音声信号発射モジュールを配置したコンピュータ装置を提供してコンピュータ装置に有線式イヤホンを配置する時の使用上の制限の問題を解決することにある。
【０００７】
本発明の別の目的は、無線音声信号発射とグループ受信機能を具えたコンピュータ装置を提供し、このコンピュータ装置は、無線音声信号発射モジュールを透過して音声信号を発射し、有効な音声信号発射距離内にあって、同じ周波数変調及び同じコード方式の複数の無線音声信号受信装置により受信させ、これにより無線音声信号のグループ受信と聴き取りの機能を達成できるようにすることにある。
【０００８】
【課題を解決するための手段】
請求項１の発明は、コンピュータ装置に音声信号を発生するためのサウンドインタフェースが設けられ、該サウンドインタフェースの音声周波信号出力端より該音声信号が送出される、無線音声信号発射モジュールを配置したコンピュータ装置において、該サウンドインタフェースの音声周波信号出力端に無線音声信号発射モジュールが連接されてサウンドインタフェースの出力する音声周波信号を受け取り、該無線音声信号発射モジュールが音声周波信号を受け取った後、音声信号処理と変調を行った後、アンテナ装置より無線音声信号を発射して、有効信号受信距離内にある少なくとも一つの無線音声信号受信装置に受信させることを特徴とする、無線音声信号発射モジュールを配置したコンピュータ装置としている。
請求項２の発明は、請求項１に記載の無線音声信号発射モジュールを配置したコンピュータ装置において、無線音声信号発射モジュールが、
サウンドインタフェースの音声周波信号出力端より送出される音声周波信号を受け取って処理し、音声周波信号を無線電気信号に変換する音声周波信号処理回路と、
該音声周波信号処理回路の発生する無線電気信号を受け取り、該無線電気信号を変調する信号変調回路と、
該信号変調回路により変調された無線電気信号を増幅する増幅回路と、
該増幅回路により増幅された信号を受け取り、並びにアンテナ装置を透過して無線音声信号を発射する信号発射回路と、
を具えたことを特徴とする、無線音声信号発射モジュールを配置したコンピュータ装置としている。
請求項３の発明は、請求項２に記載の無線音声信号発射モジュールを配置したコンピュータ装置において、無線音声信号発射モジュールがチューナーを更に具え、該チューナーが信号変調回路に連接されて該信号変調回路の変調した音声信号を固定チャンネル或いは周波数変調式に設定することを特徴とする、無線音声信号発射モジュールを配置したコンピュータ装置としている。
請求項４の発明は、請求項２に記載の無線音声信号発射モジュールを配置したコンピュータ装置において、無線音声信号発射モジュールがエンコードユニットを更に具え、該エンコードユニットが信号変調回路に連接されて、該信号変調回路の変調した音声信号をエンコードすることを特徴とする、無線音声信号発射モジュールを配置したコンピュータ装置としている。
請求項５の発明は、請求項１に記載の無線音声信号発射モジュールを配置したコンピュータ装置において、無線音声信号受信装置が、
アンテナ装置より無線音声信号発射モジュールの発射した無線音声信号を受信する信号受信回路と、
該信号受信回路の受信した無線音声信号をろ波し及び増幅するろ波及び増幅回路と、
該ろ波及び増幅回路の送出する音声信号を復調する信号復調回路と、
該信号復調回路に連接されて信号復調回路で復調後の音声信号を受信するイヤホンと、
を具えたことを特徴とする、無線音声信号発射モジュールを配置したコンピュータ装置としている。
請求項６の発明は、請求項５に記載の無線音声信号発射モジュールを配置したコンピュータ装置において、無線音声信号受信装置がチューナーを更に具え、該チューナーが信号復調回路に連接されて該信号復調回路の復調した音声信号を固定チャンネル或いは周波数変調式に設定することを特徴とする、無線音声信号発射モジュールを配置したコンピュータ装置としている。
請求項７の発明は、請求項５に記載の無線音声信号発射モジュールを配置したコンピュータ装置において、無線音声信号受信装置がデコードユニットを更に具え、該デコードユニットが信号復調回路に連接されて、該信号復調回路の復調した音声信号をデコードすることを特徴とする、無線音声信号発射モジュールを配置したコンピュータ装置としている。
請求項８の発明は、請求項５に記載の無線音声信号発射モジュールを配置したコンピュータ装置において、無線音声信号受信装置の作業電源が電池により供給されることを特徴とする、無線音声信号発射モジュールを配置したコンピュータ装置としている。
請求項９の発明は、無線音声信号発射モジュールを配置したコンピュータ装置において、
音声信号を発生するサウンドインタフェースが配置され、該サウンドインタフェースの音声周波信号出力端より該音声信号が送出される、コンピュータ装置と、
無線音声信号発射モジュールとされ、該コンピュータ装置のサウンドインタフェースに連接され、該サウンドインタフェースの音声周波信号出力端より送出される音声周波信号を受け取り、音声信号処理と変調の後に、アンテナ装置より無線音声信号を発射し、該無線音声信号発射モジュールを固定チャンネル或いは周波数変調式に設定するためのチューナーと、無線音声信号発射モジュールのエンコード機能を設定するためのエンコードユニットを具えた、上記無線音声信号発射モジュールと、
複数の無線音声信号受信装置とされ、各無線音声信号受信装置がそれぞれ無線音声信号発射モジュールのチューナーの固定チャンネルとされるか或いは周波数変調式とされたチューナーと、無線音声信号発射モジュールのエンコードユニットに設定するエンコード機能に対応するデコード機能を具えたデコードユニットを具えた、上記複数の無線音声信号受信装置と、
を具え、各無線音声信号受信装置が無線音声信号発射モジュールの有効音声信号発射距離内にあれば、各無線音声信号受信装置が無線音声信号発射モジュールの発射した無線音声信号を受信できることを特徴とする、無線音声信号発射モジュールを配置したコンピュータ装置としている。
請求項１０の発明は、請求項９に記載の無線音声信号発射モジュールを配置したコンピュータ装置において、無線音声信号発射モジュールが、
サウンドインタフェースの音声周波信号出力端より送出される音声周波信号を受け取って処理し、音声周波信号を無線電気信号に変換する音声周波信号処理回路と、
該音声周波信号処理回路の発生する無線電気信号を受け取り、該無線電気信号を変調する信号変調回路と、
該信号変調回路により変調された無線電気信号を増幅する増幅回路と、
該増幅回路により増幅された信号を受け取り、並びにアンテナ装置を透過して無線音声信号を発射する信号発射回路と、
を具えたことを特徴とする、無線音声信号発射モジュールを配置したコンピュータ装置としている。
請求項１１の発明は、請求項９に記載の無線音声信号発射モジュールを配置したコンピュータ装置において、無線音声信号受信装置が、
アンテナ装置より無線音声信号発射モジュールの発射した無線音声信号を受信する信号受信回路と、
該信号受信回路の受信した無線音声信号をろ波し及び増幅するろ波及び増幅回路と、
該ろ波及び増幅回路の送出する音声信号を復調する信号復調回路と、
該信号復調回路に連接されて信号復調回路で復調後の音声信号を受信するイヤホンと、
を具えたことを特徴とする、無線音声信号発射モジュールを配置したコンピュータ装置としている。
請求項１２の発明は、請求項９に記載の無線音声信号発射モジュールを配置したコンピュータ装置において、各無線音声信号受信装置の作業電源が電池により供給されることを特徴とする、無線音声信号発射モジュールを配置したコンピュータ装置としている。
【０００９】
【発明の実施の形態】
本発明が周知の技術の問題を解決するために採用する技術手段は以下のとおりである。本発明によると、コンピュータ中に無線音声信号発射モジュールが配置され、該無線音声信号発射モジュールがサウンドインタフェースより出力された音声周波信号を受け取り、音声信号処理及び変調の後、アンテナ装置でその無線音声信号を発射し、有効受信距離内の無線信号受信装置に受信させる。該無線音声信号発射モジュールは音声周波信号処理回路、信号変調回路、増幅回路、信号発射回路を具えている。
【００１０】
グループ受信及び聴き取りの機能を達成するため、本発明の無線音声信号発射モジュールはさらにチューナーを具え、該チューナーは該信号変調回路の音声信号を固定チャンネル或いは周波数変調式に設定するのに用いられ、該無線音声信号発射モジュールはさらにエンコードユニットを具え、該エンコードユニットは該信号変調回路で変調した音声信号をエンコードするのに用いられる。該無線音声信号受信装置は信号受信回路、ろ波及び増幅回路、信号復調回路、及びイヤホンを具えるほか、チューナー及びデコードユニットを具え、無線音声信号発射モジュールのチューナーとエンコード機能に組み合わされる。
【００１１】
本発明の採用する技術手段を透過し、コンピュータ装置は無線音声信号発射の機能を具備し、コンピュータ装置に配置されたイヤホンが有線式イヤホンの導線による使用上の制限を排除する。本発明の構造により無線音声信号発射とグループ受信機能を具えたコンピュータ装置が形成され、該コンピュータ装置の無線音声信号発射モジュールの有効距離内であれば、同じ周波数変調及び同じエンコード方式の複数の無線音声信号受信装置により受信され、こうして無線音声信号のグループ受信及び放送の機能が達成され、これは周知の技術中の有線イヤホンでは達成し得なかった効果である。本発明は従来のコンピュータ装置に有線イヤホンを配置した構造に較べ、顕著な機能の増進を有している。
【００１２】
【実施例】
図１は本発明の好ましい実施例中の無線音声信号発射モジュールを配置したコンピュータ装置のシステムブロック図である。コンピュータ装置１にはＣＰＵ１１０、メインメモリ１１１、ブリッジ１１２、ディスプレイインタフェース１１３、ディスプレイ１１４が設けられている。ＣＰＵ１１０とメインメモリ１１１はコンピュータ装置１のシステムバス１２１に連接され、該システムバス１２１はさらにブリッジ１１２を透過してＰＣＩ／ＩＳＡバス１２２に連接されている。該ディスプレイインタフェース１１３はコンピュータ装置１のＰＣＩ／ＩＳＡバス１２２に連接され、該ディスプレイ１１４にディスプレイインタフェース１１３を透過してコンピュータ装置１の伝送する画像信号を表示させる。マルチメディア機能を具えたコンピュータ装置１のＰＣＩ／ＩＳＡバス１２２はオーディオビデオ装置インタフェース１１５を介して、オーディオビデオ装置１１６に連接される。
【００１３】
サウンドインタフェース１１７はコンピュータ装置１のＰＣＩ／ＩＳＡバス１２２に連接される。サウンドインタフェース１１７は該ＰＣＩ／ＩＳＡバス１２２を透過して該コンピュータ装置１の発生するサウンド信号を取得し、並びにその音声周波信号出力端より音声周波信号Ｓ１を出力する。
【００１４】
本発明によると、無線音声信号発射モジュール２が配置され、それはコンピュータ装置１のサウンドインタフェース１１７の音声周波信号出力端に連接されて、サウンドインタフェース１１７の出力する音声周波信号Ｓ１を受け取る。該無線音声信号発射モジュール２は該音声周波信号Ｓ１を受け取った後、音声信号処理と変調を行った後、アンテナ装置２１より無線音声信号を発射する。
【００１５】
該無線音声信号発射モジュール２より発射される無線音声信号は有効発射距離内の無線音声信号受信装置３のアンテナ装置３１により受信され、並びに信号の復調と処理の後、音声信号を発生し、使用者による聴き取りに供される。
【００１６】
図２は図１中の無線音声信号発射モジュール２の回路機能ブロック図である。該無線音声信号発射モジュール２の回路は、アンテナ装置２１、音声周波信号処理回路２２、信号変調回路２３、チューナー２４、エンコードユニット２５、増幅回路２６、信号発射回路２７を具えている。
【００１７】
該アンテナ装置２１は、無線音声信号を発射し、該アンテナ装置２１の発射する信号の有効距離は例えば３０ｍ内に設定されうる。音声周波信号処理回路２２は音声周波信号Ｓ１の受信と処理を行ない、並びに該音声周波信号Ｓ１を無線電気信号に変換し、該無線電気信号がさらに信号変調回路２３に送られて無線電気信号の変調が行われる。
【００１８】
該信号変調回路２３にはチューナー２４或いはチューニングボタンが付設され、使用者が変調した音声信号を固定チャネル或いは周波数変調式とするのに供され、これにより隣り合うコンピュータ装置の間の相互干渉を防止する。この信号変調回路２３には更にエンコードユニット２５（或いはエンコードユニット）が付設され、必要時に、使用者は該エンコードユニット２５によりエンコード機能を起動できる。使用者が該エンコードユニット２５のエンコード機能を起動する時、無線音声信号受信装置３のデコードユニットを起動することにより信号の解読を行ない信号を聴くことができ、この付加機能は比較的機密用途の音声信号伝送に使用される。
【００１９】
該信号変調回路２３の発生する変調後の音声信号はさらに増幅回路２６に送られて信号の増幅が行われる。その後、増幅された信号がさらに信号発射回路２７に送られ、信号がＲＦ信号に変換され、並びにアンテナ装置３１より無線音声信号が発射される。
【００２０】
該無線音声信号発射モジュール２中の各電子装置に必要な作業電源Ｖｃｃはコンピュータ装置１の電源供給器或いはバス中の電源ピンより取得され、スイッチ２８を透過して該無線音声信号発射モジュール２の機能のオン或いはオフの制御が達成される。
【００２１】
図３は図１中の無線音声信号受信装置３の回路機能ブロック図である。該無線音声信号受信装置３の回路は、アンテナ装置３１、信号受信回路３２、ろ波及び増幅回路３３、信号復調回路３４、チューナー３５、デコードユニット３６及びマイクロホン３７を具えている。
【００２２】
該アンテナ装置３１は無線音声信号発射モジュール２の発射した無線音声信号を受け取る。該アンテナ装置３１の受信した無線音声信号が信号受信回路３２に送られた後、さらにろ波及び増幅回路３３でろ波と信号の増幅が行なわれ、増幅された音声信号はさらに信号復調回路３４で復調される。復調後の音声信号はイヤホン３７に送られ、使用者はイヤホン３７により音声信号を聴くことができる。
【００２３】
該信号復調回路３４にはチューナー３５或いはチューニングボタンが付設されて、使用者が復調した音声信号を固定チャネル或いは周波数変調式に設定するのに供され、前述の無線音声信号発射モジュール２中のチューナー２４の設定に組み合わされる。該信号復調回路３４にはデコードユニット３６が付設されて、前述の無線音声信号発射モジュール２中のエンコードユニット２５のエンコード機能に組み合わされて信号のデコードの機能が達成される。
【００２４】
該無線音声信号受信装置３中の各電子装置の必要な作業電源は、電池３８により供給され、且つスイッチ３９により該無線音声信号受信装置３のオン或いはオフが制御される。
【００２５】
以上の本発明の構造により、コンピュータ装置１がオーディオビデオ装置インタフェース１１５及びオーディオビデオ装置１１６或いはその他の音声信号発生装置を透過して発生する音声信号は、無線音声信号発射モジュール２の処理及び変調の後に、そのアンテナ装置２１より無線音声信号として発射され、有効受信距離内の遠方の無線音声信号受信装置３が無線音声信号を受信し、並びに信号の復調及び処理の後、使用者がイヤホン３７で音声信号を聴くことができ、一般に使用される有線イヤホンの電線による使用制限を受けない。
【００２６】
図４は本発明の第２実施例の、無線音声信号発射モジュールを配置したコンピュータ装置の全体システムブロック図である。そのほとんどの構成要件は図１に示される第１実施例と同じである。このコンピュータ装置１にはサウンドインタフェース１１７が設けられ、それがコンピュータ装置１のＰＣＩ／ＩＳＡバス１２２に連接されている。該サウンドインタフェース１１７の出力端の送出する音声周波信号Ｓ１は無線音声信号発射モジュール２に受信される。
【００２７】
しかしこの実施例では、複数の無線音声信号受信装置３ａ、３ｂ、３ｃ、．．．３ｎが配置され、各無線音声信号受信装置３ａ、３ｂ、３ｃ、．．．３ｎ中のチューナーが無線音声信号発射モジュール２中のチューナー２４の設定に合わせて固定チャンネル或いは周波数変調式とされる。このほか、各無線音声信号受信装置３ａ、３ｂ、３ｃ、．．．３ｎ中のデコードユニットも、無線音声信号発射モジュール２中のエンコードユニット２５のエンコード機能に合わせて対応するデコード機能を具備するものとされる。
【００２８】
以上の構造により、有効な信号受信距離内にあれば、各無線音声信号受信装置３ａ、３ｂ、３ｃ、．．．３ｎはいずれも該無線音声信号発射モジュール２の発射する無線音声信号を受信できる。対応する固定周波数或いは周波数変調式、及び対応するデコード機能に設定されていない無線音声信号受信装置は無線音声信号発射モジュール２の発射する無線音声信号を受信できない。
【００２９】
【発明の効果】
ゆえに、本発明は以上の構造により、有効な音声信号発射距離内にあれば、同じ周波数変調及び同じコード方式の複数の無線音声信号受信装置が無線音声信号発射モジュールの無線音声信号発射機能に組み合わされ得て、無線音声信号のグループ受信と聴き取りの機能を達成できる。
【００３０】
以上の実施例から分かるように、本発明は高度な産業上の利用価値を有する。なお、以上の実施例は本発明の実施範囲を限定するものではなく、本発明に基づきなしうる細部の修飾或いは改変は、いずれも本発明の請求範囲に属するものとする。
【図面の簡単な説明】
【図１】本発明の第１実施例の無線音声信号発射モジュールを配置したコンピュータ装置の全体システムブロック図である。
【図２】図１中の無線音声信号発射モジュールの回路機能ブロック図である。
【図３】図１中の無線音声信号受信装置の回路機能ブロック図である。
【図４】本発明の第２実施例の無線音声信号発射モジュールを配置したコンピュータ装置の全体システムブロック図である。
【符号の説明】
１  コンピュータ装置
１１０  ＣＰＵ
１１１  メインメモリ
１１２  ブリッジ
１１３  ディスプレイインタフェース
１１４  ディスプレイ
１１５  オーディオビデオ装置インタフェース
１１６  オーディオビデオ装置
１１７  サウンドインタフェース
１２１  システムバス
１２２  ＰＣＩ／ＩＳＡバス
２  無線音声信号発射モジュール
２１  アンテナ装置
２２  音声周波信号処理回路
２３  信号変調回路
２４  チューナー
２５  エンコードユニット
２６  増幅回路
２７  信号発射回路
２８  スイッチ
３、３ａ、３ｂ、３ｃ、３ｎ  無線音声信号受信装置
３１  アンテナ装置
３２  信号受信回路
３３  ろ波及び増幅回路
３４  信号復調回路
３５  チューナー
３６  デコードユニット
３７  イヤホン
３８  電池
３９  スイッチ
Ｓ１  音声周波信号
Ｖｃｃ  作業電源
【図１】
2004234603.tif 000003
【図２】
2004234603.tif 000004
【図３】
2004234603.tif 000005
【図４】
2004234603.tif 000006